(57)【要約】【課題】見開き頁に継ぎ目がなく、見開き頁を完全に平面とでき、書き込み時の実用性も担保されたノートを提供する。【解決手段】継ぎ目のない見開き頁３を有するノート１であり、このノート１は、複数の用紙ユニット２からなり、各用紙ユニット２は二つ折りされた１枚の用紙からなり、用紙の厚みが０．１２ｍｍ以下であり、各用紙ユニット２は折り目部２ａが同じ側に位置するように揃えられて重ね合わされ、隣接する用紙ユニット２の重ね合わせ面が接合されており、この接合は接合面においてその外縁部以外にある非塗布部を除いて略全面に塗布された糊６によりなされ、見開き頁３が、用紙ユニット２の１つを構成する１枚の用紙からなる。【選択図】図１
2018079691.tif 000002
【特許請求の範囲】
【請求項１】
継ぎ目のない見開き頁を有するノートであって、
該ノートは、複数の用紙ユニットからなり、それぞれの用紙ユニットは二つ折りされた１枚の用紙からなり、該用紙の厚みが０．１２ｍｍ以下であり、
前記複数の用紙ユニットは、それぞれの用紙ユニットの折り目部が同じ側に位置するように揃えられて重ね合わされ、隣接する用紙ユニットの重ね合わせ面が直接または別用紙を介在させて接合されており、
前記接合は、接合面においてその外縁部以外にある非塗布部を除いて略全面に塗布された糊によりなされ、
前記見開き頁が、前記用紙ユニットの１つを構成する１枚の用紙からなることを特徴とするノート。
【請求項２】
継ぎ目のない見開き頁を有するノートであって、
該ノートは、複数の用紙ユニットからなり、それぞれの用紙ユニットは巻き三つ折りまたは巻き四つ折りされた１枚の用紙からなり、該用紙の厚みが０．１２ｍｍ以下であり、
前記複数の用紙ユニットは、それぞれの用紙ユニットの各折り目部が同じ位置関係となるように揃えられて重ね合わされ、隣接する用紙ユニットの重ね合わせ面が直接または別用紙を介在させて接合されており、
前記接合は、接合面においてその外縁部以外にある非塗布部を除いて略全面に塗布された糊によりなされ、
前記見開き頁が、前記用紙ユニットの１つを構成する１枚の用紙からなり、その巻き三つ折りまたは巻き四つ折りを展開した形状であることを特徴とするノート。
【請求項３】
継ぎ目のない見開き頁を有するノートであって、
該ノートは、複数の用紙ユニットからなり、それぞれの用紙ユニットは十字折りされた１枚の用紙からなり、該用紙の厚みが０．１２ｍｍ以下であり、
前記複数の用紙ユニットは、それぞれの用紙ユニットの十字折りの２段階目の折り目部が同じ側に位置するように揃えられて重ね合わされ、隣接する用紙ユニットの重ね合わせ面が直接または別用紙を介在させて接合されており、
前記接合は、接合面においてその外縁部以外にある非塗布部を除いて略全面に塗布された糊によりなされ、
前記見開き頁が、前記用紙ユニットの１つを構成する１枚の用紙からなり、その十字折りを展開した形状であることを特徴とするノート。
【請求項４】
前記非塗布部が、前記接合面に格子状に配置されていることを特徴とする請求項１から請求項３までのいずれか１項記載のノート。
【請求項５】
前記接合面において、前記糊が格子状に塗布され、その格子間が前記非塗布部であることを特徴とする請求項１から請求項３までのいずれか１項記載のノート。
【請求項６】
隣接する用紙ユニットの重ね合わせ面が直接接合されている場合は、隣接する少なくとも一方の重ね合わせ面に、隣接する用紙ユニットの重ね合わせ面が別用紙を介在させて接合されている場合は、該別用紙の表面に、所定のパターンが印刷されており、書き込み側となる用紙表面において該パターンが透過して視認可能な状態とされていることを特徴とする請求項１から請求項５までのいずれか１項記載のノート。
【発明の詳細な説明】
【技術分野】
【０００１】
本発明は、日常用途、ビジネス用途、または、学術、美術、音楽、芸術等の専門分野用途において使用されるノートに関し、特に継ぎ目のない見開き頁を有するノートに関する。
【背景技術】
【０００２】
従来、ノートの製本方法としては、用紙を重ね合わせた積層体（丁合の完了した折丁）においてミシンを使用して糸で縫い付ける糸綴じ製本、その背面を接着剤で固定する無線綴じ製本、ホッチキス、二重リング、螺旋状ワイヤーで綴じる製本等が知られている。これらの中でも無線綴じ製本は、比較的安価に製本が可能であり、頁数の多い冊子にも対応しやすい等の利点があり、広く利用されている。一方で、無線綴じ製本は、冊子の喉（中央）の根本を開くことができないため、見開き頁に渡る表現の記載に対応できない、ノート書き込み時において喉の盛り上がりが使用感を損ねる、見開き頁の全面を複写する場合において喉の部分の複写が容易でない等の問題がある。
【０００３】
無線綴じ製本において良好な見開き性を有するノート等を製本する方法として、特許文献１や特許文献２が提案されている。特許文献１では、丁合の完了した折丁である本文の背面に塗工された背糊と、表紙の内面との間に離型剤を存在させることで、背糊が塗工後において接着性を維持している間に、本文に表紙を被せて喉糊で接合させても、本文の背面と表紙の内面とが接合されずに分離された状態になるため、製本後にも良好な見開き性を確保できるとしている。
【０００４】
また、特許文献２では、本文の背部を第２の接着剤と比べ相対的に低い所定の粘度の第１の接着剤で固め、この接着剤層表面が固化した後に、第１の接着剤よりも相対的に高い粘度の第２の接着剤を塗布し、表紙材の背部分の内面と一体的に固着させることで、接着剤層の柔軟性等が向上し、良好な見開き性を確保できるとしている。
【０００５】
その他、ノートではないものの、特許文献３では、アルバム、地図帳、絵本等を製本する合紙製本機として、印刷面が対向するように折り曲げられた印刷紙の外側面の一方に糊付けして、これを順次重ね合わせて接合するものが提案されている。
【先行技術文献】
【特許文献】
【０００６】
【特許文献１】特開２００４−１８８８６３号公報
【特許文献２】特許第５７４３３６２号公報
【特許文献３】特許第４１３５９２３号公報
【発明の概要】
【発明が解決しようとする課題】
【０００７】
しかしながら、ノートにおいて用紙を重ね合わせた積層体の背を固定する形態では、少なくともいずれかの見開き頁には継ぎ目が存在し、すべての見開き頁で継ぎ目のない構成とすることはできない。このため、見開き頁に渡るような記載を必要とする用途（例えば楽譜等）には十分対応することができない。また、本文の背面を接着剤で固定する構造である以上、本文の頁数が多い場合や接着剤の種類によっては見開き頁を完全に平面（フラット）にすることは容易ではない。なお、無線綴じ製本でないノートの場合も、例えば中綴じ製本であっても、すべての見開き頁で継ぎ目のない構成とすることはできない。
【０００８】
一方、特許文献３のような合紙製本機では、見開き頁で継ぎ目のない製本が可能である。しかし、このような合紙製本機において製本される、アルバム、地図帳、絵本等は、比較的厚い印刷紙を用いるものであり、通常のノートとして用いる厚みの印刷紙は使用されていない。また、合紙製本機において技術的に可能であれば、薄い印刷紙（例えば０．１２ｍｍ以下）を用いて地図帳や絵本を合紙製本しても問題ない。しかし、ノートは、その頁に人が書き込むものであり、合わせた紙間の糊（接着剤）の塗布状態によっては、糊によるクッションや凹凸の影響があり、通常の１枚の紙の場合と比較して書き込み難い等、書き込み時の実用性を担保することは容易ではない。
【０００９】
また、近年のデジタル化によるペーパーレス志向等に伴い、手書き用の紙製ノートの需要は低下している。しかし、紙製ノートには、デジタル機器では得られにくい、低コストで取り扱い性に優れ、記録も消失しにくい等の多くの利点を有する。このような利点を生かしつつ、上記平面化や、インクの裏移り防止、大型化への対応等の従来にはない付加価値を備えることで、需要向上が図れるものと考える。
【００１０】
本発明はこのような背景に鑑みてなされたものであり、見開き頁に継ぎ目がなく、見開き頁を完全に平面とでき、書き込み時の実用性も担保されたノートを提供することを目的とする。また、上記の各特性に加えて、インクの裏移りを防止でき、大型化にも対向可能なノートを提供することを目的とする。
【課題を解決するための手段】
【００１１】
本発明の第１のノートは、継ぎ目のない見開き頁を有するノートであって、該ノートは、複数の用紙ユニットからなり、それぞれの用紙ユニットは二つ折りされた１枚の用紙からなり、該用紙の厚みが０．１２ｍｍ以下であり、上記複数の用紙ユニットは、それぞれの用紙ユニットの折り目部が同じ側に位置するように揃えられて重ね合わされ、隣接する用紙ユニットの重ね合わせ面が直接または別用紙を介在させて接合されており、該接合は、接合面においてその外縁部以外にある塗布部を除いて略全面に塗布された糊によりなされ、上記見開き頁が、上記用紙ユニットの１つを構成する１枚の用紙からなることを特徴とする。
【００１２】
本発明の第２のノートは、継ぎ目のない見開き頁を有するノートであって、該ノートは、複数の用紙ユニットからなり、それぞれの用紙ユニットは巻き三つ折りまたは巻き四つ折りされた１枚の用紙からなり、該用紙の厚みが０．１２ｍｍ以下であり、上記複数の用紙ユニットは、それぞれの用紙ユニットの各折り目部が同じ位置関係となるように揃えられて重ね合わされ、隣接する用紙ユニットの重ね合わせ面が直接または別用紙を介在させて接合されており、該接合は、接合面においてその外縁部以外にある非塗布部を除いて略全面に塗布された糊によりなされ、上記見開き頁が、上記用紙ユニットの１つを構成する１枚の用紙からなり、その巻き三つ折りまたは巻き四つ折りを展開した形状であることを特徴とする。
【００１３】
本発明の第３のノートは、継ぎ目のない見開き頁を有するノートであって、該ノートは、複数の用紙ユニットからなり、それぞれの用紙ユニットは十字折りされた１枚の用紙からなり、該用紙の厚みが０．１２ｍｍ以下であり、上記複数の用紙ユニットは、それぞれの用紙ユニットの十字折りの２段階目の折り目部が同じ側に位置するように揃えられて重ね合わされ、隣接する用紙ユニットの重ね合わせ面が直接または別用紙を介在させて接合されており、上記接合は、接合面においてその外縁部以外にある非塗布部を除いて略全面に塗布された糊によりなされ、上記見開き頁が、上記用紙ユニットの１つを構成する１枚の用紙からなり、その十字折りを展開した形状であることを特徴とする。
【００１４】
本発明の第１〜第３のノートにおいて、上記非塗布部が、上記接合面に格子状に配置されていることを特徴とする。また、別の形態として、上記接合面において、上記糊が格子状に塗布され、その格子間が上記非塗布部であることを特徴とする。
【００１５】
本発明の第１〜第３のノートにおいて、隣接する用紙ユニットの重ね合わせ面が直接接合されている場合は、隣接する少なくとも一方の重ね合わせ面に、隣接する用紙ユニットの重ね合わせ面が別用紙を介在させて接合されている場合は、該別用紙の表面に、所定のパターンが印刷されており、書き込み側となる用紙表面において該パターンが透過して視認可能な状態とされていることを特徴とする。
【発明の効果】
【００１６】
本発明の第１のノートは、複数の用紙ユニットからなり、それぞれの用紙ユニットは二つ折りされた１枚の用紙（厚みが０．１２ｍｍ以下）からなり、複数の用紙ユニットは、それぞれの用紙ユニットの折り目部が同じ側に位置するように揃えられて重ね合わされ、隣接する用紙ユニットの重ね合わせ面が接合されており、この接合は、接合面においてその外縁部以外にある非塗布部を除いて略全面に塗布された糊によりなされ、見開き頁が用紙ユニットの１つを構成する１枚の用紙からなるので、見開き頁に継ぎ目がなく、見開き頁を完全に平面としながら、この見開き頁面において通常の１枚の紙の場合と同等に書き込みやすく、書き込み時の実用性も担保されている。このため、見開き頁に渡るような記載を必要とする、図面、表、楽譜、定規表示等の作成に好適に利用できる。また、見開き頁の中央に継ぎ目も凹凸もないため、書き込み時の使用感に優れ、見開き頁の全面の複写も容易である。さらに、書き込み頁は用紙が２枚重なって接合されているので、通常の鉛筆や蛍光ペン等は勿論、滲みやすいインクのペンを使用して書き込んだ際にも、背面頁へのインクの裏移りが抑制できる。
【００１７】
本発明の第２のノートは、第１のノート構成から用紙ユニットを巻き三つ折りまたは巻き四つ折りされた１枚の用紙に変更したものであり、見開き頁が、用紙ユニットの１つを構成する１枚の用紙からなり、その巻き三つ折りまたは巻き四つ折りを展開した形状であるので、第１のノートの効果に加えて、見開き頁において通常の見開き頁の１．５〜２倍の面積を確保できる。このため、より長尺な表現が要求される用途にも好適に利用できる。
【００１８】
本発明の第３のノートは、第１のノート構成から用紙ユニットを十字折りされた１枚の用紙に変更したものであり、見開き頁が、用紙ユニットの１つを構成する１枚の用紙からなり、その十字折りを展開した形状であるので、第１のノートの効果に加えて、見開き頁において通常の見開き頁の２倍の面積を確保できる。このため、ノートが小さいサイズでも広い書き込み面積を確保できる。
【００１９】
また、上記非塗布部が、接合面に格子状に配置されているので、糊も規則的なパターンに塗布され、糊の層の凹凸等を少なく、かつ厚みのバラつきを小さくでき、より書き込みやすいノートとなる。また、このような形態において、糊と非塗布部の構成を反対にし、糊側を格子状とする場合も同様の効果が得られる。
【００２０】
また、隣接する用紙ユニットの重ね合わせ面が直接接合されている場合は、隣接する少なくとも一方の重ね合わせ面に、隣接する用紙ユニットの重ね合わせ面が別用紙を介在させて接合されている場合は、該別用紙の表面に、罫線、模様等のパターンが印刷されており、書き込み側となる用紙表面において該パターンが透過して視認可能な状態とされているので、罫線や模様が半透過状態で書き込み側となる用紙表面自体は白紙であり、書き込みやすい。また、書き込み側となる用紙表面に直接これらのパターンを印刷する場合と比較して高級感がある。
【図面の簡単な説明】
【００２１】
【図１】本発明のノートの一例を示す斜視図等である。
【図２】図１のノートの側面図等である。
【図３】図１のノートの製本工程を示す図である。
【図４】本発明のノートの他の例を示す図である。
【図５】本発明のノートの他の例を示す図である。
【図６】模様等を透過させる形態を示す図である。
【発明を実施するための形態】
【００２２】
本発明のノートの一実施例（第１のノート）を図１および図２に基づいて説明する。図１（ａ）はこのノートを示す斜視図であり、図１（ｂ）は綴じ部近傍の拡大図である。また、図２（ａ）はこのノートの斜視図であり、図２（ｂ）は任意の頁（３パターン）を捲った状態の側面図であり、図２（ｃ）は１頁を構成する用紙の拡大側面図である。
図１（ａ）に示すように、ノート１は、継ぎ目のない見開き頁３を有するノートである。図１（ｂ）に示すように、このノート１は、二つ折りされた１枚の用紙からなる用紙ユニット２を複数重ねて構成されている。各用紙ユニット２は、折り目部２ａが同じ側に位置するように向きを揃えられて重ね合わされている。ここで、隣接する用紙ユニット２の重ね合わせ面が、糊６により直接接合されている。このノート１は、用紙ユニット２の折り目部２ａを広げるように捲られる。このため、見開き頁３は、用紙ユニット２の１つを構成する１枚の用紙から構成される。また、ノート１において背の部分（綴じ部）に製本テープ５が貼り付けられている。この製本テープ５は、各用紙ユニット間の連結の補強と、見た目向上のためである。本発明のノートは、重ね合わせ面で各ユニットが強固に接合されているので、製本テープがない場合でもノートとして成立する。
【００２３】
図２（ａ）および図２（ｂ）に示すように、このノート１は、いずれの頁を捲った状態でも、見開き頁３を完全にフラットな状態とできる。見開き頁の中央に継ぎ目も凹凸もないため、書き込み時に引っ掛かりがなく使用感に優れ、見開き頁の全面の複写の際にも喉部分が映らない等の問題がない。また、図２（ｃ）に示すように、書き込み頁となる各頁４は、隣接する用紙ユニットの用紙２’同士が糊６により２枚重なって接合されている。単純に用紙を２枚重ねたものでなく、略全面を糊で接合しているので、裏表面間には糊による接着層も介在し、油性・水性のペン等を使用した場合でも、インクがその背面頁まで滲むこと（裏移り）を防止できる。
【００２４】
ここで、用紙ユニットに使用する用紙２’としては、用紙の厚みが０．１２ｍｍ以下であればその種類は特に限定されず、複写用紙、コピー用紙、アート紙、コート紙、マット紙、上質紙等の任意の用紙を使用できる。これらの用紙は、単独でも複数種を組み合わせて使用してもよい。用紙の厚みｔ0については０．０６ｍｍ〜０．１２ｍｍが好ましく、０．０８ｍｍ〜０．１２ｍｍがより好ましく、０．０８ｍｍ〜０．１０ｍｍがさらに好ましい。各頁４を構成する用紙の厚みｔ1は２ｔ0となる。薄い用紙を用いることで、各頁を２枚重ねとしながら、通常のノートと同等の使用感が得られる。その他、用紙ユニットの積層枚数は特に限定されず、例えば、１０〜３００枚程度とすることができる。
【００２５】
図３に基づいてこのノートの製造工程を説明する。図３は図１のノートの製本工程を示す図である。まず、用紙２’を略中央の折り目部２ａで折り曲げて（二つ折り）、用紙ユニット２とする。この用紙ユニット２を折り目部２ａが同じ側に位置するように揃えつつ、順次重ね合わせて押圧して接合する。ここで、重ね合わせる前に、接合面となる用紙ユニット２の重ね合わせ面２ｂに糊６を塗布する。糊が固化することで用紙ユニットが一体化されてノート１’（製本テープなし）が得られる。なお、この一連の製造工程は、後述のような糊の塗布部分以外は、公知の合紙製本機を用いて実施できる。
【００２６】
図１〜図３に示す例では、隣接する用紙ユニット２の重ね合わせ面が直接接合されているが、これに限定されず、別用紙を介在させてもよい。ここで、本発明における用紙ユニット間において糊で接着される「接合面」とは、隣接する用紙ユニットの重ね合わせ面が直接接合されている場合には、それぞれの用紙ユニットの重ね合わせ面であり、別用紙を介在させている場合は、それぞれの用紙ユニットの重ね合わせ面と、別用紙の両面である。なお、接合の際には、接合される接合面のうちの少なくとも一方に糊が塗布されていればよい。
【００２７】
本発明では、接合に用いる糊が、接合面において、その外縁部以外にある非塗布部を除いて略全面に塗布されていることに特徴を有する。すなわち、略全面に塗布するものの、一部に塗布されていない部分（非塗布部）を設けている。通常の全面塗布の場合でも、外縁部の僅かな範囲には糊付けしないような場合があるが、本発明ではこのような外縁部ではなく、接合部中央側等にも非塗布部を有している。このような非塗布部をあえて設けることで、押圧して接合する際に、糊の一部が非塗布部に逃げる等して、用紙間での糊の層の凹凸等を少なくすることができる。特に、本発明は書き込むことを前提とするノートを対象としており、また、薄い用紙を張り合わせていることもあり、書き込み時の使用感を損ねないために、この糊の層の構成が重要となる。
【００２８】
図３に示す例では、糊６の非塗布部６ａが、接合面の略全面に格子状に配置された網目状部として形成されている。すなわち、接合面である用紙ユニット２の片面において、この格子の部分には糊６が塗布されておらず、格子間（網目）には糊６が塗布されている。非塗布部をこのような規則的なパターンとすることで、より糊の層の凹凸等を少なく、かつ厚みのバラつきを小さくできる。また、格子状の非塗布部がない場合と比較して、糊を乾燥速度が速くなり、貼り合わせた用紙の経時的な反りを防止できる。
【００２９】
格子の大きさは、接合面で十分な強度を維持しつつ、使用感を損ねること等がない大きさであれば、特に限定されない。例えば、菱形の格子間（網目）として、その菱形の対角線の長さが０．８ｍｍ〜１．２ｍｍ程度、格子自体の線幅が０．０８ｍｍ〜０．１２ｍｍ程度とすることが好ましい。また、別の形態として、糊を格子状に塗布して、格子間が非塗布部となるようにしてもよい。この場合、格子自体の線幅を図３の形態の場合よりも太くして、接合面での糊の量を十分に確保することが好ましい。
【００３０】
このような格子状の非塗布部６は、例えば、公知の合紙製本機において、糊付けローラの表面に格子状の溝を形成したものや、メッシュ状の糊付けローラを用いること、または、上記糊付け形状を転写可能な糊付け板等を用意することで実施可能である。また、糊としては、でんぷん系の糊、酢酸系のエマルジョンタイプの糊等、合紙糊（合紙接着剤）として公知の糊を適宜使用できる。また、塗布する糊の濃度も適宜薄める等して調整できる。これらの中でも、でんぷん系の糊を使用することが好ましい。例えば、上記格子状の非塗布部を設ける形態において、でんぷん系糊を使用することで、用紙貼り合わせ直後の糊中の水分が素早く乾き、用紙の経時的な反りを防止できる。
【００３１】
糊の非塗布部は、押圧時に糊の一部が該非塗布部に逃げる等することから、最終製品であるノートにおいては、その一部にも糊が入り込んで固化している。ただし、非塗布部の一部はそのまま糊が介在せずに残っており、製品において製造時に非塗布部が存在していたことを確認できる。上述の格子状の非塗布部も、製品ノートの頁を切断する、または、接合部を剥がすことで、概ねその格子状が残った状態を把握できる。
【００３２】
本発明のノートの他の実施例（第２のノート）を図４に基づいて説明する。図４（ａ）はこのノートを示す斜視図であり、図４（ｂ）は開く側の近傍の拡大図である。図４（ａ）に示すように、ノート１１は、図３の第１のノート構成から用紙ユニット１２を巻き三つ折りされた１枚の用紙１２’に変更したものである。用紙１２’は、まず折り目部１２ｂで折り曲げられ、これを巻くように折り目部１２ａで折り曲げられる（巻き三つ折り）。この用紙ユニット１２は、２つの折り目部１２ａと１２ｂが同じ位置関係となるように揃えられて重ね合わされている。図４（ａ）および図４（ｂ）に示すように、隣接する用紙ユニット１２の重ね合わせ面１２ｃが、糊１６により直接接合されている。また、ノート１１において背の部分（綴じ部）に製本テープ１５が貼り付けられている。このノート１１は、用紙ユニット１２の折り目部１２ａを広げるように捲られた後、さらに折り目部１２ｂを広げるように捲られる。このため、見開き頁１３が、用紙ユニット１２の１つを構成する１枚の用紙１２’からなり、その巻き三つ折りを展開した形状となる。なお、拡張頁１４’のみ、紙一枚分の頁となる。
【００３３】
接合面における糊１６の非塗布部１６ａ等の構成は、第１のノートの構成と同じであり、用紙ユニットを用意した後の製本工程も同様である。また、図４の変形例として用紙ユニット１２を巻き四つ折りした用紙に変更してもよい。巻き四つ折りは、巻々四つ折りであってもよい。
【００３４】
この第２のノート１１は、第１のノートの効果に加えて、見開き頁において通常の見開き頁の１．５倍（巻き三つ折り）〜２倍（巻き４つ折り）の面積を確保できる。このため、図面、表、楽譜、年表等、より長尺な表現が要求される用途に利用できる。また、ノートをスケジュール帳として利用する場合には、月毎に見開き頁を１つ使用し、広い面積を利用したカレンダーや日程の一括記載が可能となる。さらに、長尺平坦な頁とできるため、定規や寸法線を印刷しておくことで、簡単な計測も可能となる。
【００３５】
本発明のノートの他の実施例（第３のノート）を図５に基づいて説明する。図５はこのノートを示す斜視図である。図５に示すように、ノート２１は、図３の第１のノート構成から用紙ユニット２２を十字折りされた１枚の用紙２２’に変更したものである。用紙２２’は、まず折り目部２２ｂで折り曲げられ、さらに折り目部２２ａで折り曲げられる（十字折り（田の字折り））。この用紙ユニット２２は、十字折りの２段階目の折り目部２２ａが同じ側に位置するように揃えられて重ね合わされている。また、隣接する用紙ユニット２２の重ね合わせ面２２ｃが、糊２６により直接接合されている。また、ノート２１において背の部分（綴じ部）に製本テープ２５が貼り付けられている。このノート２１は、用紙ユニット２２の折り目部２２ａを広げるように捲られた後、さらに折り目部２２ｂを広げるように捲られる。このため、見開き頁２３が、用紙ユニット２２の１つを構成する１枚の用紙２２’からなり、その十字折りを展開した形状となる。なお、拡張頁２４’は、紙一枚分の頁となる。
【００３６】
接合面における糊２６の非塗布部２６ａ等の構成は、第１のノートの構成と同じであり、用紙ユニットを用意した後の製本工程も同様である。この第３のノート２１は、第１のノートの効果に加えて、見開き頁において通常の見開き頁の２倍の面積を確保できる。このため、書き込み面積がノートを閉じた状態の面積の４倍となり、ノートを小さいサイズとし携帯性を向上させながら、広い書き込み面積を確保することができる。また、一般的なＡ４サイズのノートとすることで、Ａ２サイズ（Ａ４の４倍）の見開き頁を用意できる。
【００３７】
図６に基づいて模様等を透過させる形態を説明する。図６に示すように、用紙ユニット２同士の間に、別用紙７を挟み込む。ここで、別用紙７には模様８が印刷してある。このため、用紙ユニット２同士を別用紙７を介在させて接合した際に、書き込み側となる用紙表面において模様８が透過されて視認することができる。模様８としては、背景となるような種々の模様やパターンの他、罫線等の実用的なものも記載できる。書き込み側となる用紙表面自体は白紙であるため、模様が透過されていても十分に書き込みやすい。また、別の形態として、用紙ユニットの外側面（重ね合わせ面）に、同様の模様等を記載し、別用紙は介在させない形態としてもよい。この場合も、同様の視覚的な効果が得られる。
【００３８】
以上、各図に基づきノートの形態を説明したが、本発明のノートの全体構成は、これに限定されるものではない。
【産業上の利用可能性】
【００３９】
本発明のノートは、見開き頁に継ぎ目がなく、見開き頁を完全に平面としながら、この見開き頁面において通常の１枚の紙の場合と同等に書き込みやすく、裏移り等も防止できるので、日常用途、ビジネス用途、または、学術、美術、音楽、芸術等の専門分野用途において使用されるノートとして広く利用できる。例えば、勉強用・記録用の通常の学習用ノート、設計図面用ノート、スケッチブック、楽譜帳、メモ帳、スケジュール帳等として利用できる。特に、見開き頁に渡るような書き込み記載を必要とする用途（設計図面、楽譜、スケジュールを記載するもの）に好適に利用できる。
【符号の説明】
【００４０】
１、１１、２１  ノート
１’  ノート（製本テープなし）
２、１２、２２  用紙ユニット
２’、１２’、２２’  用紙
２ａ、１２ａ、１２ｂ、２２ａ、２２ｂ  折り目部
２ｂ、１２ｃ、２２ｃ  重ね合わせ面
３、１３、２３  見開き頁
４、１４、２４  頁
１４’、２４’  拡張頁
５、１５、２５  製本テープ
６、１６、２６  糊
６ａ、１６ａ、２６ａ  非塗布部
７  別用紙
８  模様
【図１】
2018079691.tif 000003
【図２】
2018079691.tif 000004
【図３】
2018079691.tif 000005
【図４】
2018079691.tif 000006
【図５】
2018079691.tif 000007
【図６】
2018079691.tif 000008